(57)【要約】  【課題】モジュラジャックに接続された電線とラックとの絶縁を図れるパッチパネルを提供する。  【解決手段】パッチコードの末端に設けたモジュラプラグが着脱自在に差し込まれるモジュラジャック２がフレーム１に複数個保持される。フレーム１の左右両端部にはラックに取り付けるための固定片１１を設けてある。フレーム１は、前枠１０の下縁から後方に向かって下片１７が延設されている、下片１７の後端部の両側縁にはそれぞれ側片１７ｂが立設され、各側片１７ｂの外側面には合成樹脂製の絶縁用保護板１９の一端部が貼着される。絶縁用保護板１９は、上記一端部を除いた部分がモジュラジャック２における端子台２２の側面を覆う。したがって、モジュラジャック２に接続されたツイストペアケーブルの先端がラックに接触しないように絶縁用保護板１９で隔絶することができる。【選択図】      図１
2005209391.tif 000002
【特許請求の範囲】
【請求項１】
パッチコードの末端に設けたモジュラプラグが着脱自在に差し込まれるモジュラジャックをラックに取り付けられるフレームに複数個保持したパッチパネルであって、フレームの左右両側部には、ラックの左右両側部とモジュラジャックの左右両側部の端子板に接続された電線とを隔絶する絶縁用保護板が設けられてなることを特徴とするパッチパネル。
【発明の詳細な説明】
【技術分野】
【０００１】
本発明は、ラックに取り付けて用いるパッチパネルに関するものである。
【背景技術】
【０００２】
従来から、信号伝送を行う種々の信号路において信号路の接続関係の変更を容易にするために、パッチコード（パッチラインコード）を着脱可能に差し込むようにしたパッチパネルが広く採用されている。パッチコードは両端にプラグを備え、パッチパネルはプラグが着脱可能に差し込まれるジャックを複数個備えている。コンピュータネットワークにおける信号路に用いるパッチパネルとしては、ジャックとしてモジュラジャックを用い、ツイストペアケーブルの両端にモジュラプラグを備えたパッチコードが着脱可能に差し込まれるものが知られている（例えば、特許文献１参照）。
【０００３】
この種のパッチパネルとしては、図４に示すように、例えば１９インチラックと称する金属製のラック（キャビネットラック）４の左右両側部に形成されたねじ孔４ａに螺合する取付ねじ５を用いてに取り付けられるフレーム１を備えたものが知られている。また、この種のパッチパネルとしては、図５に示すように、フレーム１に保持されるパネル３に複数個のモジュラジャック２を取り付けたものが知られている。
【０００４】
図５に示した構成のパッチパネルは、フレーム１の左右両端部に固定片１１を備え、各固定片１１には上記取付ねじ５が挿入される上下２個ずつの固定用孔１２ａ，２ｂが形成されており、固定用孔１２ａ，１２ｂに挿入される上記取付ねじ５をラック４に設けたねじ孔４ａに螺合させることにより、フレーム１が上述のラック４に固定されるようにしてある。
【０００５】
また、上述のモジュラジャック２は、図６に示すように、器体２０の前面にプラグ挿入口２１が開口し、ツイストペアケーブル５４が接続される端子台２２を器体２０の後端部に備えている。プラグ挿入口２１の内部にはモジュラプラグ（図示せず）の接触子に接触可能な複数本（例えば、８本）のコンタクト２６が配列され、端子台２２には各コンタクト２６にそれぞれ電気的に接続されたＩＤＣ端子と呼ばれる複数枚（例えば、８枚）の端子板（図示せず）が設けられている。この種の端子板は、周知のものであって、中央部に圧接スリットを有する二股のフォーク状に形成され、圧接スリットの開口端から圧接スリット内に絶縁被覆電線である電線５５を圧入すると、圧接スリットの両側縁で絶縁被覆を剥いで、電線５５の内部の芯線と圧接スリットの両側部とが電気的に接続される。端子台２２の左右両側部（モジュラプラグの挿入方向に直交する方向の両側部）には、ぞれぞれ複数の保護壁２２ａが前後方向に並んで設けられており、端子板は、前後に隣り合う保護壁２２ａの間に圧接スリットを対応させるように配置されている。ここにおいて、前後方向に隣り合う各一対の保護壁２２ａの互いの対向面には、端子板を保持する保持溝２２ｂが上下方向に沿って形成されており、各端子板は、厚み方向が端子台２２の左右方向に一致するように配置されている。なお、端子板に接続される電線５５の余線は、電線５５を圧接スリットに押し込む専用の工具であるインパクトツールや一般的な工具であるニッパーなどによって切断すればよい。
【０００６】
また、上述のモジュラジャック２は、端子台２２に着脱自在に装着される合成樹脂成形品の端子カバー２３（図５参照）を備えており、ツイストペアケーブル５４のシース５４ａ内に収納された電線５５を端子板に接続した後に、端子カバー２３を端子台２２に装着することによって、電線５５が端子板から外れにくくなるようにしてある。なお、ツイストペアケーブル５４は端子台２２と端子カバー２３との間に形成された導出口２４（図５参照）を通して外部に引き出される。
【特許文献１】特許第３４８２９０７号公報（段落番号〔００１３〕−〔００２１〕、図１−図３）
【発明の開示】
【発明が解決しようとする課題】
【０００７】
ところで、上述した構成のパッチパネルでは、ラック４に取り付けた状態において左右両端に位置するモジュラジャック２の端子台２２に接続されたツイストペアケーブル５４を構成する各電線５５の心線の先端がモジュラジャック２の左右両側面から突出してラック４に接触する可能性があり（つまり、前後方向に隣り合う保護壁２２ａを通して電線５５の先端が突出してラック４に接触する可能性があり）、伝送エラーが起こる可能性があった。
【０００８】
本発明は上記事由に鑑みて為されたものであり、その目的は、モジュラジャックの左右両側部の端子板に接続された電線とラックとの絶縁を図れるパッチパネルを提供することにある。
【課題を解決するための手段】
【０００９】
本発明は、パッチコードの末端に設けたモジュラプラグが着脱自在に差し込まれるモジュラジャックをラックに取り付けられるフレームに複数個保持したパッチパネルであって、フレームの左右両側部には、ラックの左右両側部とモジュラジャックの左右両側部の端子板に接続された電線とを隔絶する絶縁用保護板が設けられてなることを特徴とする。
【発明の効果】
【００１０】
本発明の構成によれば、フレームの左右両側部においてモジュラジャックに接続された電線の先端とラックの左右両側部との絶縁を図ることができる。
【発明を実施するための最良の形態】
【００１１】
以下、本実施形態のパッチパネルについて図１および図２を参照しながら説明する。
【００１２】
本実施形態のパッチパネルは、合成樹脂成形品のパネル３にモジュラジャック２を複数個取り付け、パネル３を金属製のフレーム１に取り付けた構成を有している。図示例ではフレーム１に４個のパネル３を取り付け、１枚のパネル３には６個のモジュラジャック２を取り付けている。なお、モジュラジャック２の構成は上述の図６と同じ構成なので、説明を省略する。
【００１３】
パネル３は前板３０の背面（後面）側にモジュラジャック２を保持するものであって、前板３０において各モジュラジャック２に対応する部位には、前板３０の表裏（前後）に貫通する矩形状の取付口３１が開口する。前板３０の背面において取付口３１の周部には、取付口３１の各辺ごとに保持片３２ａ〜３２ｃが設けられる。つまり、上下の保持片３２ａ，３２ｂでモジュラジャック２を挟むことによりモジュラジャック２を保持し、左右の保持片３２ｃによりモジュラジャック２の左右の動きを規制している。また、上の保持片３２ａには器体２０の上面に設けた係合溝２５に着脱可能に係合する爪部（図示せず）が形成されている。
【００１４】
パネル３の前板３０の背面には、図３に示すように、フレーム１にパネル３を結合するために、断面Ｌ字状の引掛片３３が上部において突設され、引掛爪（図示せず）が下部において設けられている。引掛爪は上下方向に可撓である可撓片から下向きに突設されており、フレーム１に設けた後述の取付窓１４の周部に引掛片３３と引掛爪とを係止させることによって、パネル３がフレーム１に取着されるようになっている。また、フレーム１における取付窓１４の周部には位置決め孔１５が穿孔されており、パネル３の前板３０の背面に突設された位置決め突片３４を位置決め孔１５に挿入することによって、フレーム１に対するパネル３の左右方向の動きが規制される。
【００１５】
フレーム１は、図２に示すように、各パネル３がそれぞれ取着される複数個（実施形態では４個）の取付窓１４を左右方向に並設した矩形枠状の前枠１０を備え、前枠１０の左右両側部であってパネル３が重複しない部位にそれぞれ固定片１１を備える。各固定片１１にはフレーム１をラック４（図４参照）に固定するための取付ねじ５（図４参照）が挿入される上下２個ずつの固定用孔１２ａ，１２ｂが形成されている。なお、固定片１１に設けた上側の固定用孔１２ａは周縁が閉じた孔であるが、下側の固定用孔１２ｂは周縁下部が開放され導入用スリット１３の上端に連続する。導入用スリット１３の下端は固定片１１の下縁（すなわち、フレーム１の下縁）に開放される。導入用スリット１３の幅寸法は、取付ねじ５の脚部をフレーム１の下縁から固定用孔１２ｂに導入できる程度に設定されている。したがって、パッチパネルをラック４に取り付けるに際しては、ラック４に設けたねじ孔４ａに取付ねじ５を螺合させ完全に締め付けていない状態で、取付ねじ５に導入用スリット１３を位置合わせすれば、導入用スリット１３を通して取付ねじ５の脚部を固定用孔１２ｂに導入することができる。導入用スリット１３は左右１個ずつ設けられているから、フレーム１の左右両側部を２本の取付ねじ５によって支持することになり、フレーム１の荷重を取付ねじ５で受けることができる。言い換えると、フレーム１がラック４に仮固定されることになる。この状態ではフレーム１から手を離してもフレーム１が落下することはないから、固定用孔１２ｂに挿入した取付ねじ５の締付作業を片手でフレーム１を支持することなく行うことができ、さらに残りの固定用孔１２ａに挿入した取付ねじ５の締付作業も容易に行うことができる。また、各取付窓１４の上下両縁には上述した引掛片３３と引掛爪とがそれぞれ係止される係止縁１４ａ，１４ｂが形成される。
【００１６】
前枠１０の上縁からは後方に向かって上片１６が延設され、前枠１０の下縁からは後方に向かって下片１７が延設される。下片１７はパネル３をフレーム１に取り付けたときのモジュラジャック２の後端よりも後方まで延長されており、下片１７の後端縁には段差部１７ａを介してケーブル保持片１８が連続する。段差部１７ａは下片１７よりもケーブル保持片１８が上方に位置するように形成されている。ケーブル保持片１８には、モジュラジャック２に接続されたツイストペアケーブル５４（図６参照）を結束するケーブルタイ（紐状の結束部材）を取り付けるための結束用孔１８ａが複数形成されている。したがって、１個の結束用孔１８ａにケーブルタイを通すか、隣接する２個の結束用孔１８ａにケーブルタイを通し、ツイストペアケーブル５４をケーブルタイでケーブル保持片１８の一部に結び付ければ、ツイストペアケーブル５４を所望の方向に誘導することが可能になる。
【００１７】
ところで、下片１７の後端部の両側縁にはそれぞれ側片１７ｂが立設され、各側片１７ｂの外側面には合成樹脂製の絶縁用保護板１９の一端部が貼着される。ここにおいて、絶縁用保護板１９は、上記一端部が側片１７の外側面に貼着され、残りの部分がモジュラジャック２における端子台２２の一側面側において少なくとも前後方向に隣り合う各一対の保護壁２２ａ間の隙間を覆うようになっている。すなわち、フレーム１の左右両側部には、ラック４の左右両側部とモジュラジャック２の端子台２２の各端子板に接続された電線５５とを隔絶する絶縁用保護板１９が設けられている。したがって、本実施形態では、モジュラジャック２の端子板に接続されたツイストペアケーブル５４の電線５５の先端（芯線の先端）がラック４に接触しないように絶縁用保護板１９で隔絶することができ、電線５５とラック４とを確実に電気的に絶縁できるので、電線５５とラック４とが接触することに起因した伝送エラーの発生を防止することができる。さらに説明すれば、図２における左端のモジュラジャック２の左側部の各端子板に接続される電線５５とフレーム１の左側の側片１７とを隔絶することができるとともに、図２における右端のモジュラジャック２の右側部の各端子板に接続される電線５５とフレーム１の右側の側片１７とを隔絶することができる。
【図面の簡単な説明】
【００１８】
【図１】本発明の実施形態を示し、一部破断した斜視図である。
【図２】同上の分解斜視図である。
【図３】同上の要部斜視図である。
【図４】従来例を示す概略斜視図である。
【図５】他の従来例を示し、一部破断した斜視図である。
【図６】他の従来例におけるモジュラジャックへの結線作業の説明図である。
【符号の説明】
【００１９】
１  フレーム
２  モジュラジャック
３  パネル
１０  前枠
１１  固定片
１２ａ，１２ｂ  固定用孔
１７  下片
１７ｂ  側片
１９  絶縁用保護板
２２  端子台
２３  端子カバー
【図１】
2005209391.tif 000003
【図２】
2005209391.tif 000004
【図３】
2005209391.tif 000005
【図４】
2005209391.tif 000006
【図５】
2005209391.tif 000007
【図６】
2005209391.tif 000008